(57)【要約】【課題】圃場に一定の間隔をおいて布設される籾殻投入暗渠の布設作業を効率的に行うことができ、しかも、構造の簡素化と小型化が図られ、トラクタなどの走行作業車の後部への装着性においても改善された暗渠布設装置を提供する。【解決手段】トラクタＢの車体幅方向に長い平面視で略横長矩形形状に形成されているタンク１の横幅方向における左右２ヶ所の傾斜最低部から下方に向けてそれぞれ延設されて、掘削された縦溝Ｄに籾殻Ｍを投入するための投入通路２を備え、この左右２ヶ所の投入通路２の前側に縦溝Ｄを掘削するための掘削部３をそれぞれ備えている構成を採用することにより、装置構造の簡素化を図り、そしてトラクタＢによる１度の牽引によって２条の籾殻投入暗渠が同時に布設されるようにしている。【選択図】図２
0003136089.tif 000002
【実用新案登録請求の範囲】
【請求項１】
自走式作業機の後部に装着されて、圃場に縦溝を掘削しながら、該縦溝に疎水材を投入するとともに、該疎水材により前記縦溝を埋め戻して前記圃場に暗渠を布設するための暗渠布設装置であって、
前記疎水材を収容するためのタンクと、
このタンクの最低部に開口されている連絡口から下方に向けて延設されて、前記縦溝に前記疎水材を投入するための投入通路と、
前記自走式作業機の前進方向に位置する前記投入通路の前側に取り付けられて、前記縦溝を掘削するための掘削部と、を備え、
前記タンクは、前記自走式作業機の車幅方向に長い平面視で略横長矩形形状で縦断面が略ホッパ形状に形成され、
前記投入通路および前記掘削部は、前記タンクの横幅方向の少なくとも左右２ヶ所にそれぞれ備えられていることを特徴する暗渠布設装置。
【請求項２】
前記タンクは、前記連絡口をそれぞれ備えて平面視で略横長矩形形状に連設される両側の底枠部材と、この底枠部材の開口上端縁からそれぞれ立ち上げ形成される垂直枠部材と、を備え、
かつ、前記垂直枠部材を形成する垂直壁部が、透視性を有する板材によって形成されていることを特徴とする請求項１に記載の暗渠布設装置。
【考案の詳細な説明】
【技術分野】
【０００１】
本考案は、排水性の悪い田畑などの圃場に排水対策のために施工される土壌改良工事に使用される暗渠布設装置に係り、詳しくは、適宜の深さと溝幅を有する縦溝を圃場に掘削しながら、該縦溝に疎水材を投入し、該透水材により縦溝を埋め戻して暗渠を布設するために使用される暗渠布設装置に関する。
【背景技術】
【０００２】
排水性の悪い田畑などの圃場に、縦溝（充填溝）を掘削しながら、該縦溝に籾殻などの疎水材を投入して縦溝を疎水材で埋め戻すことによって、例えば籾殻投入暗渠を布設するように構成されている暗渠布設装置は知られている（特許文献１および特許文献２参照）。
【０００３】
例えば、水田において、籾殻投入暗渠は、地表から３００〜４００ｍｍの深さにて地中に布設されることによって、さらに深く地中において布設されている暗渠パイプへと雨水などによる余剰水を疎水（排水）するように、圃場の一辺幅方向に１．０〜１．７ｍ位の間隔をおいた多数列にて平行に布設されるものである。
これにより、雨水などによる余剰水が数日間に排水されずに残ることにより発生し易い、作物の根腐れや湿害などの発生を防ぎ、作物の生育に適した通気性、疎水性（透水性）、保水性などに優れた土壌（土質）の環境に整えることができる。
【特許文献１】特開２００２−３０２９２８号公報
【特許文献２】特開平１１−１６４６２８号公報
【考案の開示】
【考案が解決しようとする課題】
【０００４】
しかしながら、特許文献１および特許文献２に記載されているいずれの従来装置においても、装置自体が大型で、かなり高価なものとなっている。
また、従来装置は、圃場に縦溝（充填溝）を掘削するための掘削部と、この掘削部によって掘削された縦溝にタンクからの籾殻を投入するための投入通路とを、タンクの最低部の１ヶ所のみに設けている構造としている。
そのために、水田の相対する一方の畦にわたる長さで、他方の畦方向に一定の間隔をおいて多数本の籾殻投入暗渠を列状に布設するときに、１列（１本）の籾殻投入暗渠を布設しながら往復しなければならないために、作業効率が悪い。つまり、従来装置では、１面の水田に対して布設される籾殻投入暗渠の列分（本数分）、水田の相対する畦間を往復しながら布設作業を行わなければならない。
【０００５】
また、従来装置では、タンク内の籾殻を投入通路へと移送するなどのためのスクリューコンベアを備え、しかも、このスクリューコンベアを駆動させるためのモータが必要となるなどから、構造が複雑で大型である。
また、ＰＴＯ軸（出力）から動力を取り出してスクリューコンベアを駆動している従来装置では、トラクタの後部への脱着が面倒で手間が掛かるなどの取扱い性の面においても問題が残されていた。
【０００６】
そこで、本考案は、前記課題を解消するために創案されたものであり、一定の間隔をおいて圃場に布設される暗渠の布設作業効率を向上させ、しかも、構造の大幅な簡素化と小型化を図り、さらには、トラクタなどの自走式作業車の後部への装着性においても改善された暗渠布設装置を提供することにある。
【課題を解決するための手段】
【０００７】
前記課題を解決するために、本考案では、自走式作業機の後部に装着されて、圃場に縦溝を掘削しながら、該縦溝に疎水材を投入するとともに、該疎水材により前記縦溝を埋め戻して前記圃場に暗渠を布設するための暗渠布設装置であって、
前記疎水材を収容するためのタンクと、このタンクの最低部に開口されている連絡口から下方に向けて延設されて、前記縦溝に前記疎水材を投入するための投入通路と、前記自走式作業機の前進方向に位置する前記投入通路の前側に取り付けられて、前記縦溝を掘削するための掘削部と、を備え、
前記タンクは、前記自走式作業機の車幅方向に長い平面視で略横長矩形形状で縦断面が略ホッパ形状に形成され、前記投入通路および前記掘削部は、前記タンクの横長方向の少なくとも左右２ヶ所にそれぞれ備えられていることを特徴する。
ここで、前記タンクは、前記投入通路が下方に向けて延設される横幅方向の左右２ヶ所に前記連絡口を有して平面視で略横長矩形形状に連設される両側の底枠部材と、この底枠部材の開口上端縁からそれぞれ立ち上げ形成される垂直枠部材と、を備え、かつ、前記垂直枠部材を形成する垂直壁部が、透視性を有する板材によって形成されていることが好適なものとなる。
また、前記タンクの前側には、圃場の自走式作業機として代表されるトラクタ後部の三点リンク機構にピン止めなどによって着脱自在に連結支持させるためのマウスと左右のロアリンクプレートとを備えている。
【０００８】
このような構成によれば、走行式作業機に牽引されて圃場に暗渠を布設するときに、少なくとも左右２ヶ所の掘削部および投入通路によって、２列（２本）の縦溝を同時に掘削しながら、掘削された２列の縦溝に疎水材を投入しながら、２列（２本）の暗渠を同時に布設することができる。
また、タンク内の疎水材の残量を、透視性を有する垂直壁部を通してタンクの外側から確認することができる。
【考案の効果】
【０００９】
本考案の暗渠布設装置は、以上のように構成されていることで、従来装置に比べて、構造が大幅に簡素化され、しかも、小型化されていることで、低コストで提供することができる。
また、疎水材で代表される籾殻を用いて圃場に籾殻投入暗渠を布設するときに、少なくとも２列（２本）の籾殻投入暗渠を同時に布設しながら作業を進行させることができる。これにより、作用効率の向上が図られる。
【００１０】
また、従来装置のように、スクリューコンベアなどの駆動部を必要としないことから、圃場の自走式作業機として代表されるトラクタの後部に装着するときに、トラクタ後部のＰＴＯ軸（出力軸）に接続しなければならないなどの面倒なことが解消される。これにより、トラクタの後部に対する脱着などにおける取扱い面の向上が図られる。
【考案を実施するための最良の形態】
【００１１】
以下、本考案の実施形態について、適宜図面を参照しながら詳細に説明する。
図１は、本実施形態に係る暗渠布設装置を示す縦断側面図であり、図２は、同縦断背面図であり、図３は、トラクタの後部に装着させた状態を示す側面図である。
【００１２】
≪暗渠布設装置の構成≫
暗渠布設装置Ａは、図１および図２に示すように、疎水材として代表される籾殻Ｍを収容するためのタンク１と、このタンク１の開口底部から下方に向けてそれぞれ延設される左右２ヶ所の投入通路２と、この両投入通路２の前側に取り付けられる掘削部３とを備えて構成されている。
【００１３】
また、暗渠布設装置Ａは、図１に示すように、タンク１の横幅方向にわたるメインフレーム４をタンク１の前側に備えている。そして、このメインフレーム４には、図３に示すように、自走式作業機で代表されるトラクタＢの車体の後側に備えられている三点リンク機構Ｃに、ピン止めなどの連結手段を用いて着脱自在に支持させるためのマウス５と左右のロアリンクプレート６とを備えている。
つまり、三点リンク機構Ｃを構成するトップリンク（リフトアーム）７にピン止めにて連結させるためのマウス５、そして、左右のロアリンク８にピン止めにて連結させるための左右のロアリンクプレート６が、タンク１の前側にメインフレーム４を介してそれぞれ備えている。
これにより、暗渠布設装置Ａは、左右のロアリンク８を上げる操作が行われることによって、地面から浮き上るように持ち上げられる。そして、左右のロアリンク８を下げる操作が行われることによって、図３に示すように、掘削部３が地中（土中）に突き刺さり、牽引されることで、籾殻Ｍを投入し、該籾殻Ｍにより埋め戻される縦溝Ｄの掘削作業が行われるようになっている。
【００１４】
≪タンクの構成≫
タンク１は、左右の投入通路がそれぞれ取り付けられる左右の底枠部材１−１と、この左右の底枠部材１−１を連設するように、トラクタＢの車体幅方向に長く、平面視で略横長矩形形状に立ち上げ形成される垂直枠部材１−２とを備えて形成されている。
【００１５】
底枠部材１−１は、鉄板などによってタンク１の短辺幅に相当する大きさの平面視で略正四角形状にそれぞれ形成されているとともに、それぞれの傾斜最低部には連絡口９を備えている。
そして、底枠部材１−１は、それぞれの連絡口９の開口４辺縁のうち、前側の短辺縁を除く他の３辺縁からそれぞれ漸次上向きに拡開するように傾斜させた三面の傾斜壁部１０と一面の垂直壁部１１とでそれぞれ形成され、全体としてホッパ形状に構成されている。
【００１６】
さらに、底枠部材１−１は、図２に示すように、開口する４辺縁のうち、タンク１の長手方向（横幅方向）において平行に隣り合う内側の傾斜壁部１０の上辺縁を、タンク１の中央部に向けて突合せ連結されるように上向き傾斜状に漸次延設させている。
これにより、左右の底枠部材１−１は、タンク１の長手方向の中央部位において収容されている籾殻Ｍをそれぞれの連絡口９へと振り分け流下させるための略山形形状の連設部１２を備えている。
【００１７】
なお、左右の底枠部材１−１に開口されている連絡口９のタンク１の長手方向における開口間隔は、トラクタＢによる牽引によって圃場に布設される２列（２本）の籾殻投入暗渠の施工間隔となる。本実施形態では、１．３〜１．７ｍ程度の間隔範囲としている。
【００１８】
また、左右の底枠部材１−１は、それぞれの連絡口９に、図３に示すように、後側に向けてスライド自在とする開閉シャッター１３をそれぞれ備えている。これにより、タンク１から投入通路２への籾殻Ｍの投入開始と、投入停止との切り替え、そして、開閉シャッター１３の開方向へのスライド量の調整によって、タンク１から投入通路９への籾殻Ｍの投入量を任意に変更することができるようにしている。
【００１９】
垂直枠部材１−２は、左右の底枠部材１−１を連設するように、タンク１の平面視形状である略横長矩形形状に立ち上げ形成される４面の垂直壁部１４を備えている。この４面の垂直壁部１４は、透視性（透光性）を有する合成樹脂材料などの板材を用いて形成されている。これにより、垂直壁部１４を通してタンク１内に収容されている籾殻Ｍの残量を外側から確認することができるようにしている。
【００２０】
≪投入通路の構成≫
投入通路２は、底枠部材１−１の連絡口９の開口形状と略同じ開口形状で、連絡口９から下方に向けた適宜の垂設長さにて略角型中空筒形状（略ストロ形状）に形成されている。詳しくは、掘削部３の後記する両側板３−４と、タンク１の前面に取り付けられて垂設される前面枠材１６、そして背面板１７とによって形成されている。
そして、投入通路２は、図に示すように、掘削される縦溝Ｄの深さに相当する長さ（高さ）にて後側を斜めにカットすることより、下向きの斜め後方に向けて開口させて投入口２ａを備えている。
これにより、掘削部３によって圃場に掘削される縦溝Ｄに、タンク１内からの籾殻Ｍが投入され、該縦溝Ｄを埋め戻すように籾殻Ｍが充填されるようにしている。
【００２１】
≪掘削部の構成≫
掘削部３は、タンク１の幅方向にわたり取り付けられているメインフレーム４にブラケット１８を介してボルト止めなどにより固着されて、投入通路２の前側に垂れ下がるように位置して取り付けられる支持枠材３−１と、前方に向けて突き出すように湾曲している支持枠材３−１の下端部側に取り付けられるチゼル３−２と、このチゼル３−２の後部から投入通路２の前方に位置する高さにて支持枠材３−１に取り付けられるナイフビーム３−３とを備えて構成されている。
チゼル３−２は、地中（土中）に縦溝Ｄの溝底を、該縦溝Ｄの溝幅にて切り込むように形成されている。そして、ナイフビーム３−３は、チゼル３−２により切り込まれる縦溝Ｄの溝底から地面に至る縦溝Ｄの掘削深さにて地中を縦に切り込むように形成されている。
【００２２】
また、掘削部３は、支持枠材３−１に取り付けられて投入通路２を形成するように後方に向けて延設させる両側板３−４を備えている。これにより、チゼル３−２とナイフビーム３−３との共同で地中を切り込み、続いて両側板３−４が地中の土圧（弾性）に抗して拡げることにより、ナイフビーム３−３により切り込まれた切込みよりも広い溝幅の縦溝Ｄが地中に掘削（形成）されるようにしている。
つまり、籾殻Ｍが投入されて投入通路２の通路幅に相当する溝幅の縦溝Ｄがチゼル３−２、ナイフビーム３−３、両側板３−４によって掘削されると同時に、掘削に継続して投入通路２から縦溝Ｄに籾殻Ｍが投入されるようになっている。
【００２３】
また、本実施形態では、図１に示すように、掘削部３の下端部に、略弾丸形状に形成されている穴形成部材１５を、支持枠材３−１の下端にブラケット１９、リング２０を介して取り付けて掘削部３および投入通路２の下部側に備えている。
これにより、縦溝Ｄの溝底に沿って連なるように布設される簡易暗渠として作用させるためのモグラ穴Ｄ−１が穴形成部材１５によって同時に形成されるようにしている。
【００２４】
［暗渠布設装置の作用説明］
つぎに、以上のように構成されている本実施形態に係る暗渠布設装置Ａの作用について簡単に説明する。ここでは、図３を参照しながら説明する。
図３に示すように、トラクタＢ後部の三点リンク機構Ｃのトップリンク７と左右のロアリンク８に、タンク１前方のマウス５と左右のロアリンクプレート６をピン止めなどによって連結支持させる。
そして、水田などの圃場においてトラクタＢの前進とともに、掘削部３のチゼル３−２、ナイフビーム３−３を地中に突き刺すように食い込ませる。
このようにして、チゼル３−２、ナイフビーム３−３を地中に突き刺し食い込ませた状態でトラクタＢにより牽引させると、チゼル３−２によって縦溝Ｄの溝底を地中に形成するように切り込みが入れられるとともに、ナイフビーム３−３によって地表に向けた縦の切り込みが入れられる。
そして、ナイフビーム３−３により縦の切込みが入れられると、両側板３−４が地中の土圧（弾性）に抗して地中を両側方に向けて拡げることによって、地中に縦溝Ｄが掘削（形成）され、同時にこの縦溝Ｄ内に、タンク１からの籾殻Ｍが投入通路２、投入口２ａにより順次に投入されて縦溝Ｄは籾殻Ｍによって埋め戻されていく（図３参照）。これにより、トラクタＢの牽引による作業の進行とともに、２列（２本）の籾殻投入暗渠が圃場の地中に同時に布設される。
【００２５】
このように構成されている本実施形態に係る暗渠布設装置によれば、トラクタＢの後部に三点リンク機構Ｃにより連結支持され、トラクタＢによる牽引によって布設作業が進行されていくと、左右２ヶ所の掘削部３によって、２列（２本）の縦溝Ｄが同時に掘削され、掘削された２列の縦溝Ｄ内には、左右２ヶ所の投入通路２を通って送り込まれてくるタンク１からの籾殻Ｍが順次に投入されて、２列の籾殻投入暗渠が同時に布設されることとになる。これにより、籾殻投入暗渠を布設するときの作業効率が、従来装置における１列毎の布設に比べて向上されることとなる。
【図面の簡単な説明】
【００２６】
【図１】本実施形態に係る暗渠布設装置を示す縦断側面図である。
【図２】図１のＩＩ−ＩＩ線の沿わせて示す同暗渠布設装置の横断背面図である。
【図３】同暗渠布設装置の一部を切欠してトラクタの後部に装着させた状態を示す側面図である。
【符号の説明】
【００２７】
Ａ      暗渠布設装置
１      タンク
２      投入通路
２ａ    投入口
３      掘削部
３−１  支持枠材
３−２  チゼル
３−３  ナイフビーム
３−４  両側板
４      メインフレーム
５      マウス
６      ロアリンクプレート
１３    開閉シャッター
Ｂ      トラクタ（自走式作業機）
Ｃ      三点リンク機構
Ｄ      縦溝
Ｍ      籾殻（疎水材）
【図１】
0003136089.tif 000003
【図２】
0003136089.tif 000004
【図３】
0003136089.tif 000005